(57)【要約】【課題】本体ケースの最も短い辺が高さ方向となる姿勢で設置される給湯装置において、メンテナンス用の開口部が比較的小さくても本体ケースを大型化させることなく、メンテナンス時の作業性を向上させることができる給湯装置を提供する。【解決手段】直方体状の本体ケース６は、ガスバーナ９及び熱交換器１１を有する給湯装置本体７を収容する。給湯装置１は、本体ケース６の最も短い辺が高さ方向となる姿勢で設置する。本体ケース６は、胴部６０と、下面板６１と、上面板６２と、胴部６０の一側板２５を取り外して形成する開口部２２と、下面板６１に延設した下部レール７０と、上面板６２に延設した上部レール７２とを備える。給湯装置本体７は、下部レール７０に沿って摺動する下部摺動部材７１と、上部レール７２に沿って摺動する上部摺動部材７３と備える。【選択図】図３
2019015430.tif 000002
【特許請求の範囲】
【請求項１】
ガスバーナ及び該ガスバーナの燃焼排気により加熱される熱交換器を有する給湯装置本体と、該給湯装置本体を収容する直方体状の本体ケースとを備え、前記本体ケースの最も短い辺が高さ方向となる姿勢で設置される給湯装置において、
前記本体ケースは、４つの側板からなる四角筒状の胴部と、該胴部の下面を閉塞する下面板と、前記胴部の上面を閉塞する上面板と、前記胴部の高さ方向に交差する側に位置する一側板を取り外すことにより形成される前記給湯装置本体の出し入れが可能となる大きさの開口部と、前記下面板の内面に前記開口部からの前記給湯装置本体の出し入れ方向に沿って延設された下部レールと、前記上面板の内面に前記開口部からの前記給湯装置本体の出し入れ方向に沿って延設された上部レールとを備え、
前記給湯装置本体は、前記下部レールに沿って摺動する下部摺動部材と、前記上部レールに沿って摺動する上部摺動部材とを備えることを特徴とする給湯装置。
【発明の詳細な説明】
【技術分野】
【０００１】
本発明は、本体ケースの最も短い辺が高さ方向となる姿勢で設置される給湯装置に関する。
【背景技術】
【０００２】
従来、建物の天井に吊設する給湯装置が知られている（下記特許文献１参照）。このものは、ガスバーナや熱交換器によって構成される給湯装置本体を、直方体状の本体ケースに収容している。本体ケースは、最も短い辺が高さ方向となる姿勢で、背面板を建物の天井下面に固定される。
【０００３】
しかし、天井に吊設された給湯装置は、本体ケースの下面を閉塞する蓋体を取り外すことにより本体ケースの下面を開放させて内部のメンテナンス作業を行うようになっている。このため、メンテナンス作業を行うとき、作業者は本体ケースの内部を見上げながら作業を行わなければならず、無理な姿勢が強いられて作業効率が低下する。
【０００４】
そこで、天井に吊設された給湯装置においては、高さ方向に交差する側の一側面を前面として開閉可能とすることが考えられる。これによれば、作業者は、本体ケースの内部を見上げるような姿勢をとらずにすみ、比較的楽な姿勢でメンテナンス作業を行うことができる。
【先行技術文献】
【特許文献】
【０００５】
【特許文献１】特開２００３−１８５１６５号公報
【発明の概要】
【発明が解決しようとする課題】
【０００６】
しかし、本体ケースの高さ方向に交差する側の一側面を開放させてメンテナンス用の開口部とした場合、その開口面積は、本体ケースの下面を開放させてメンテナンス用の開口部とした場合よりも小さくなる。そして、メンテナンス用の開口部が小さいと、工具や作業者の手が本体ケースの奥まで入れ難く、特に給湯装置本体を構成している部品のうち比較的大型の主要部品を、本体ケースの内部から取り外す場合や取り付ける場合等に、作業性が悪い不都合がある。また、工具や作業者の手が本体ケースの奥まで入るようにするために、給湯装置本体と本体ケースとの隙間を大きく形成するためには本体ケースを大型化する必要があり、給湯装置の小型化が望めない。
【０００７】
上記の点に鑑み、本発明は、本体ケースの最も短い辺が高さ方向となる姿勢で設置される給湯装置において、メンテナンス用の開口部が比較的小さくても本体ケースを大型化させることなく、メンテナンス時の作業性を向上させることができる給湯装置を提供することを目的とする。
【課題を解決するための手段】
【０００８】
かかる目的を達成するために、本発明は、ガスバーナ及び該ガスバーナの燃焼排気により加熱される熱交換器を有する給湯装置本体と、該給湯装置本体を収容する直方体状の本体ケースとを備え、前記本体ケースの最も短い辺が高さ方向となる姿勢で設置される給湯装置において、前記本体ケースは、４つの側板からなる四角筒状の胴部と、該胴部の下面を閉塞する下面板と、前記胴部の上面を閉塞する上面板と、前記胴部の高さ方向に交差する側に位置する一側板を取り外すことにより形成される前記給湯装置本体の出し入れが可能となる大きさの開口部と、前記下面板の内面に前記開口部からの前記給湯装置本体の出し入れ方向に沿って延設された下部レールと、前記上面板の内面に前記開口部からの前記給湯装置本体の出し入れ方向に沿って延設された上部レールとを備え、前記給湯装置本体は、前記下部レールに沿って摺動する下部摺動部材と、前記上部レールに沿って摺動する上部摺動部材とを備えることを特徴とする。
【０００９】
本発明の給湯装置は、本体ケースの最も短い辺が高さ方向となる姿勢で設置され、胴部を構成する４つの側板のうちの一つを取り外すことで、給湯装置本体の出し入れが可能となる開口部が形成される。開口部を前面として給湯装置を設置することで、例えば、メンテナンスを行う作業者は、無理な姿勢をとることなく作業が行える。
【００１０】
本発明の給湯装置は更に、下部レールと上部レールとを備え、給湯装置本体の下部摺動部材と上部摺動部材とを摺動案内することにより、給湯装置本体を開口部から引き出すことができるようになっている。これにより、給湯装置本体を引き出して本体ケースの外部で給湯装置本体のメンテナンス作業を行うことができる。よって、メンテナンス作業が容易となるだけでなく、例えば、給湯装置本体と本体ケースとの隙間を大きく形成する必要がなく、給湯装置の大型化が防止できる。
【００１１】
更に、本発明の給湯装置は、給湯装置本体が本体ケースの内部に収容されているとき、下部摺動部材と上部摺動部材とが夫々下部レールと上部レールとに接した状態となる。このため、本体ケースの下面板と上面板とはその内側から給湯装置本体によって支えられた状態となる。即ち、本発明の給湯装置は、本体ケースの下面板と上面板とに下部レールと上部レールとが設けられていることにより歪み難くなっており、更に、給湯装置本体の下部摺動部材と上部摺動部材とが下部レールと上部レールとに接して本体ケースの下面板と上面板とに一層な高い剛性を付与している。
【００１２】
従って、例えば、給湯装置の輸送時の落下等によって本体ケースに衝撃が付与されても、上記構成のように下面板と上面板との剛性が向上していることにより、本体ケースの歪みの発生を防止することができる。
【図面の簡単な説明】
【００１３】
【図１】本発明の実施形態における給湯装置の設置状態を示す説明的側面図。
【図２】前面パネルを取り外した状態を示す説明的斜視図。
【図３】給湯装置本体の要部を断面視して示す説明図。
【図４】下部レールに対する下部摺動部材の移動状態を給湯装置本体を省略して示す説明的斜視図。
【図５】上部レールに対する給湯装置本体の移動状態を本体ケースを省略して示す説明的斜視図。
【図６】下部レール及び下部摺動部材の断面説明図。
【図７】上部レール及び上部摺動部材の断面説明図。
【発明を実施するための形態】
【００１４】
本発明の一実施形態を図面に基づいて説明する。本発明の給湯装置１は、所謂天井設置型給湯装置であり、本実施形態における給湯装置１は、図１に示すように、ベランダ２の天井３に形成された空間である収納部４に設置されている。収納部４には、給湯装置１を載置する載置板５が設けられている。収納部４は、図中左側及び手前側が開放され、図中右側及び奥側が壁面で閉塞されている。
【００１５】
図２に示すように、給湯装置１は、直方体状の本体ケース６を備えている。本体ケース６の内部には、給湯装置本体７が収容されている。
【００１６】
図３に示すように、給湯装置本体７は、燃焼ファン８、ガスバーナ９、燃焼筐１０、熱交換器１１、及び給排気筒１２が横並びに配置して構成されている。
【００１７】
本体ケース６は、図１及び図２に示すように、最も短い辺が高さ方向となる姿勢で設置され、高さ方向に交差する側の一側面が前面とされる。図１に示した給湯装置１の設置状態においては、給湯装置１の本体ケース６は、図中左方に前面を向けている。
【００１８】
本体ケース６は、４つの側板によって構成される四角筒状の胴部６０（図２参照）と、図３及び図４に示すように、胴部６０の下面を閉塞する下面板６１と、図２〜図４に示すように、胴部６０の上面を閉塞する上面板６２とを備えている。
【００１９】
胴部６０は、図２に示すように、胴部６０の前面をビス止めにより取り外し自在に覆う前面パネル２５と、給排気筒１２が配設される排気側板６３と、燃料ガス供給管１４、給水管１６、出湯管１７、循環戻り管１９等の夫々を図外の給湯回路に接続する複数の接続端子部２６が配設される接続側板６４と、図４に示すように、下面板６１の後端縁と上面板６２の後端縁とを連結する背面板６５とで構成される。
【００２０】
即ち、本実施形態において、胴部６０を構成する４つの側板は、前面パネル２５、排気側板６３、接続側板６４及び背面板６５であり、何れも最も短い辺を有する矩形板状である。
【００２１】
そして、排気側板６３と接続側板６４とは、何れも、前面パネル２５や背面板６５に比べて水平方向の長さが短い。即ち、排気側板６３と接続側板６４とは、最も水平方向の長さが短い側板である。
【００２２】
本体ケース６には、図２に示すように、前面全部を開放する開口部２２が形成されている。開口部２２は、前面パネル２５により覆われ、その四隅部がビス止めされることにより本体ケース６に固定される。前面パネル２５は、四隅部のビスを外して本体ケース６から取り外すことにより、開放された開口部２２から、給湯装置本体７の前側が露出する。
【００２３】
従来の給湯装置のように、天井に設置されているものでは、メンテナンス作業時の作業者に対して作業しにくい姿勢を強いることが多い。本実施形態の給湯装置１は、前面パネル２５を取り外して本体ケース６の横方向に開口部２２を形成することができる。これにより、下面の板を取り外して下方に向かって開放させるようにした従来の給湯装置に比べて、メンテナンス作業時の作業者が楽な姿勢で作業することができる。
【００２４】
更に、図３及び図４に示すように、下面板６１には、前後方向に向かって平行に延びる一対の下部レール７０が設けられている。下部レール７０には、夫々、給湯装置本体７の下部に設けられた一対の下部摺動部材７１が摺動自在に保持されている。
【００２５】
図３と、本体ケース６を省略した図５とに示すように、上面板６２には、前後方向に向かって延びる上部レール７２が設けられている。上部レール７２には、給湯装置本体７の上部に設けられた上部摺動部材７３が摺動自在に保持されている。
【００２６】
下部レール７０は、図６に拡大して断面視するように、下面板６１に形成された前後方向に延びる突出部７０ａと、下面板６１にビス止め固定された押え部材７０ｂとによって構成されている。下部摺動部材７１は、給湯装置本体７にビス止め固定された板状部材であり、その先端部が突出部７０ａと押え部材７０ｂとの間に摺動自在な状態で挟持されている。
【００２７】
下部レール７０は、突出部７０ａが下部摺動部材７１を介して給湯装置本体７の荷重を受けるが、比較的面積の小さい部分である突出部７０ａの頂部が下部摺動部材７１に摺接して摩擦抵抗が小さいことにより、下部摺動部材７１は円滑に摺動する。
【００２８】
上部レール７２は、図７に拡大して断面視するように、上面板６２にビス止め連結する連結部７２ａと、連結部７２ａの両側縁に一体に連設された互いに対向する一対の側片７２ｂとを備え、下方に向かって開放された溝状に形成されている。上部摺動部材７３は、上部レール７２の一対の側片７２ｂ間に挟み込まれるようにして摺動自在な状態で上部レール７２に保持される。
【００２９】
給湯装置本体７は、下部レール７０と上部レール７２とにより、本体ケース６の開口部２２から露出するように案内される。これにより、給湯装置本体７を本体ケース６から引き出してメンテナンス作業を容易に行うことができる。
【００３０】
また、本体ケース６は、図３及び図４に示すように、下部レール７０と上部レール７２（図３参照）とが設けられていることにより撓み難くなっている。更に、給湯装置本体７は、図３に示すように、本体ケース６の内部に収容されているとき、下部レール７０と上部レール７２とで上下から挟まれた状態とされている。これによれば、本体ケース６と給湯装置本体７とが下部レール７０と上部レール７２とによって連結された状態となり、本体ケース６の剛性が向上する。
【００３１】
また、本実施形態の給湯装置１は、図示しないが、天地反転させて設置することができるようになっている。即ち、図２を参照すれば、前後方向は変更せずに、上面板６２を下側に、下面板６１を上側に位置させ、給排気筒１２と接続端子部２６との左右位置を変更することが可能である。この場合にも、本実施形態の給湯装置１は、下部レール７０と上部レール７２とが上下逆方向となるだけで、全く支障なく給湯装置本体７を引き出すことができ、メンテナンス時の高い作業性が維持される。
【００３２】
なお、本実施形態の給湯装置１においては、ベランダ２の天井３に設置されている例を示したが、これ以外に、図示しないが、本発明の給湯装置は、屋内の天井裏や、システムキッチンの天井側或いはシンク下の収納空間等に設置することもできる。
【符号の説明】
【００３３】
１…給湯装置、７…給湯装置本体、６…本体ケース、９…ガスバーナ、１１…熱交換器、２２…開口部、２５…前面パネル（側板）、６０…胴部、６２…上面板、６１…下面板、６３…排気側板（側板）、６４…接続側板（側板）、６５…背面板（側板）、７０…下部レール、７１…下部摺動部材、７２…上部レール、７３…上部摺動部材。
【図１】
2019015430.tif 000003
【図２】
2019015430.tif 000004
【図３】
2019015430.tif 000005
【図４】
2019015430.tif 000006
【図５】
2019015430.tif 000007
【図６】
2019015430.tif 000008
【図７】
2019015430.tif 000009